(57)【要約】【課題】レセプタクルの複数の挿入孔に光コネクタプラグが接続していても隣同士が互いに邪魔とならずに、各光コネクタプラグの抜脱操作が容易に行えるようにする。【解決手段】複数の光コネクタプラグＰの挿入孔１ａ（１ｂ）を隣接して設けたレセプタクルＬおよび光コネクタプラグＰを備えて成る光ファイバコネクタであって、当該光ファイバコネクタのレセプタクルＬには、各挿入孔１ａ（１ｂ）に挿着されている光コネクタプラグＰを押圧してこれを抜脱方向に押し出し可能とする押出し具４を備える。【選択図】図１
2010152084.tif 000002
【特許請求の範囲】
【請求項１】
複数の光コネクタプラグの挿入孔を隣接して設けたレセプタクルおよび光コネクタプラグを備えて成る光ファイバコネクタであって、当該光ファイバコネクタのレセプタクルには、各挿入孔に挿着されている光コネクタプラグを押圧してこれを抜脱方向に押し出し可能とする押出し具を設けて成ることを特徴とする光ファイバコネクタ。
【請求項２】
光コネクタプラグ挿入時に、当該光コネクタプラグのツマミに突設したキー突起を嵌合させるためのキー溝と、光コネクタプラグに係合されるためのロック部材とが、レセプタクルの各挿入孔に設けられて成る光ファイバコネクタであって、当該光ファイバコネクタに設けられたキー溝に沿ってスライド可能に装着した押出し具を備え、該押出し具は前記キー溝に嵌合されている光コネクタプラグのキー突起を押圧し、前記ロック部材の係合を拡圧解除して抜脱方向に押し出し可能として成ることを特徴とする光ファイバコネクタ。
【請求項３】
押出し具は、上面に滑り止めが形成されて成る操作部と、該操作部下面側でキー溝に係合される付け根部を介して設けられ、光コネクタプラグのキー突起を押圧するスライダ部とを備えて成る請求項１または２記載の光ファイバコネクタ。
【請求項４】
押出し具のスライダ部の一端には、光コネクタプラグのキー突起の前端部を係合させるための係合凹部を備えて成る請求項３記載の光ファイバコネクタ。
【発明の詳細な説明】
【技術分野】
【０００１】
本発明は、例えば、高密度の構内成端用光キャビネット内の、例えば４分岐もしくは８分岐等のスプリッタモジュールや変換心線モジュール等の出力側に設けられた所謂フィンガータッチ式レセプタクルおよび光コネクタプラグによって構成される光ファイバコネクタに関する。
【背景技術】
【０００２】
従来、光ファイバの先端に組み立てられた光コネクタプラグは、図８に示すように、複数の当該光コネクタプラグの挿入孔が隣接して設けられたレセプタクルＬに接続される。
【０００３】
このとき、二つの光コネクタプラグＰを相互接続できるように、合成樹脂の成型品で成るレセプタクルＬの両端には、光学軸が一致するようにして、一方の挿入孔１ａと、他方の挿入孔１ｂとをそれぞれ備えている。
【０００４】
レセプタクルＬは、図８に示すように、上側壁と左右側壁と底壁とが一体に形成して成り、左右側壁の間には３つの仕切壁を介して四角筒状の４つの挿入孔１ａ（１ｂ）が形成されており、一方の挿入孔１ａおよび他方の挿入孔１ｂにおける接続開口端は水平方向に開口している。
【０００５】
また、各挿入孔１ａ（１ｂ）における上側壁中央には、光コネクタプラグＰ挿入時のガイドおよび安定保持のために、光軸方向に沿って直線溝条となったキー溝２がそれぞれ形成されている。
【０００６】
因みに、光コネクタプラグＰの具体的な構成としては、周知のように、光ファイバ芯線が挿入固定されると共に、後端にフランジが圧入保持されるフェルールと、フランジ後端に当接しフェルールを前方に付勢するスプリングの後端を支持するストップリングと、これら各部材を覆うプラグフレームと、光ケーブルの抗張力線であるケブラを前記ストップリングに固定するカシメ座と、光ケーブルのケブラ外側を覆う合成樹脂外皮であるシースを前記カシメ座に固定するカシメリングと、前記ストップリングに装着されるブーツと、プラグフレームおよびストップリングの外側に被せられるツマミＱとから概ね構成されている。
【０００７】
そして、図８に示すように、光コネクタプラグＰの外殻を形成するツマミＱの例えば上側壁の上面中央には、レセプタクルＬの各挿入孔１ａ（１ｂ）における接続用両開口端に設けられた前記キー溝２に嵌合させるための平面略長円形状となったキー突起３が突設されている。
【特許文献１】特になし
【発明の開示】
【発明が解決しようとする課題】
【０００８】
しかしながら、従来においては、光コネクタプラグＰのツマミＱにはキー突起３以外は何等突出した操作部分が無いほぼ平坦な形状であることから、レセプタクルＬの各挿入孔１ａ（１ｂ）への挿入および抜脱に際しての操作性が非常に劣ったものになる。特に、光レセプタクルＬが平面に取付けられた際、レセプタクルＬの各挿入孔１ａ（１ｂ）に接続される左右に隣接する光コネクタプラグＰ同士の間隔が非常に狭くて互いに邪魔となることから、ツマミＱを介しての光コネクタプラグＰの抜脱操作が非常に行い難いものとなる。
【０００９】
そこで、本発明は、叙上のような従来存した諸事情に鑑み案出されたもので、レセプタクルの各挿入孔に光コネクタプラグが接続していても隣同士が互いに邪魔とならずに、各光コネクタプラグの抜脱操作がフィンガータッチで容易に行えるものとした光ファイバコネクタを提供することを目的とする。
【課題を解決するための手段】
【００１０】
上述した課題を解決するため、本発明にあっては、複数の光コネクタプラグの挿入孔を隣接して設けたレセプタクルおよび光コネクタプラグを備えて成る光ファイバコネクタであって、当該光ファイバコネクタのレセプタクルには、各挿入孔に挿着されている光コネクタプラグを押圧してこれを抜脱方向に押し出し可能とする押出し具を設けて成ることを特徴とする。
【００１１】
光コネクタプラグ挿入時に、当該光コネクタプラグのツマミに突設したキー突起を嵌合させるためのキー溝と、光コネクタプラグに係合されるためのロック部材とが、レセプタクルの各挿入孔に設けられて成る光ファイバコネクタであって、当該光ファイバコネクタに設けられたキー溝に沿ってスライド可能に装着した押出し具を備え、該押出し具は前記キー溝に嵌合されている光コネクタプラグのキー突起を押圧し、前記ロック部材の係合を拡圧解除して抜脱方向に押し出し可能として成ることを特徴とする。
【００１２】
押出し具は、上面に滑り止めが形成されて成る操作部と、該操作部下面側でキー溝に係合される付け根部を介して設けられ、光コネクタプラグのキー突起を押圧するスライダ部とを備えて成る。
【００１３】
押出し具のスライダ部の一端には、光コネクタプラグのキー突起の前端部を係合させるための係合凹部を備えて成る。
【発明の効果】
【００１４】
本発明によれば、複数の光コネクタプラグの挿入孔を隣接して設けたレセプタクルの各挿入孔に光コネクタプラグが接続していても隣同士が互いに邪魔とならずに、各光コネクタプラグの抜脱操作が容易に行える。
【００１５】
すなわち、レセプタクルには、各挿入孔に装着されている光コネクタプラグを押圧してこれを抜脱方向に押し出し可能とする押出し具を備えているので、この押出し具をスライドさせるだけで、光コネクタプラグ自体の抜脱が容易となる。
【００１６】
また、光コネクタプラグ挿入時に、当該光コネクタプラグのツマミに突設したキー突起を嵌合させるためのキー溝と、光コネクタプラグに係合されるためのロック部材とが、レセプタクルの各挿入孔に設けられて成る光ファイバコネクタであって、当該光ファイバコネクタに設けられたキー溝に沿ってスライド可能とした押出し具を備え、該押出し具は前記キー溝に嵌合されている光コネクタプラグのキー突起を押圧し、前記ロック部材の係合を拡圧解除して抜脱方向に押し出し可能として成るので、レセプタクルの各挿入孔に設けられたキー溝に嵌合させるためのキー突起をツマミに突設されて成る光コネクタプラグであれば如何なるものであってもワンタッチにて容易に抜脱できる。
【００１７】
特に、押出し具は面幅の広いレセプタクル側に各挿入孔に対応して取り付けられることから、手指一本の操作（フィンガータッチ）で個々の光コネクタプラグをスムーズに抜き出すことができる。
【００１８】
押出し具は、上面全体に滑り止めが形成されて成る操作部と、該操作部下面側でキー溝に係合される付け根部を介して設けられ、光コネクタプラグのキー突起を押圧するスライダ部とを備えて成るので、操作部の手指によるスライド操作でキー突起を容易に押圧することができ、光コネクタプラグの抜脱がスムーズに行える。
【００１９】
特に、レセプタクルの各挿入孔に設けられているロック部材による光コネクタプラグの係合を、押出し具のスライド操作によって容易且つ確実に拡圧解除させることができ、以後の光コネクタプラグの取り出しがスムーズに行える。
【００２０】
押出し具のスライダ部の一端には、光コネクタプラグのキー突起の一部を係合させるための係合凹部を備えて成るので、スライダ部によるキー突起の押圧時における軸ズレや横ブレ等を未然に防止することができ、押出し具自体の操作性が向上する。
【発明を実施するための最良の形態】
【００２１】
以下、図面を参照して本発明に係る光ファイバコネクタを実施するための最良の一形態を詳細に説明する。
【００２２】
本光ファイバコネクタは光コネクタプラグＰとレセプタクルＬによって構成されている。
そして、光ファイバの先端に組み立てられた光コネクタプラグＰは、図１、図２、図５（ａ）乃至（ｃ）に示すような高密度の構内成端用光キャビネット内に設けられているアダプタモジュールの出力側に設けられる２分岐以上の例えば４分岐等の横配列となった所謂フィンガータッチ式のレセプタクルＬによって構成されるＳＣコネクタに接続される。
【００２３】
尚、このレセプタクルＬは、例えば８分岐の横配列、あるいは２分岐、４分岐、８分岐等の縦配列等となったＳＣコネクタを備えた構成であっても良い。
【００２４】
このとき、図５に示すように、光屋内線側とスプリッタモジュール側との二つの光コネクタプラグＰを相互接続できるように、合成樹脂の成型品で成るレセプタクルＬの両端には、光学軸が一致するようにして、一方の挿入孔１ａと、他方の挿入孔１ｂとをそれぞれ備えている。
【００２５】
この他方の挿入孔１ｂには、図２、図５（ａ）、図５（ｃ）に示すように、若干小型の簡易プラグ構造による光コネクタプラグＰが挿入されているのであるが、この光コネクタプラグＰを固定するために挿入孔１ｂの開口側縁部には左右一対の係止片８と、上下一対のガイド片９とがそれぞれ突設されている。
【００２６】
すなわち、このレセプタクルＬは、図５（ａ）乃至（ｃ）に示すように、上側壁と左右側壁と底壁とが一体に形成して成り、左右側壁の間には３つの仕切壁を介して四角筒状の４つの挿入孔１ａ（１ｂ）が形成されている。また、既述したように、この中央内部には各挿入孔１ａ（１ｂ）に対応して４つのＳＣコネクタが配置されている。
【００２７】
上記した一方の挿入孔１ａおよび他方の挿入孔１ｂにおける接続用両開口端はそれぞれ斜め上方向に向けて開口してあっても良いし、あるいは両挿入孔１ａ、１ｂが水平方向へ開口していても良いことは勿論である。
【００２８】
このレセプタクルＬのＳＣコネクタの具体的な構成としては、図５（ａ）に示すように、挿入孔１ａ内奥にある接合端壁に、円筒状のスリーブ６が、光学軸上で中心軸を一致させて挿入孔１ａの開口端に向かって突設してある。
【００２９】
そして、スリーブ６を囲繞するように、先端に鉤状の爪部を備えた係止片を対向させて成るロック部材５が設けられている。このロック部材５は各挿入孔１ａに対応して各設けられ、前記仕切壁は隣り合う係止片の間に配置される。このとき、スリーブ６内側には円筒状の割りスリーブが装着され保持されている。
【００３０】
また、図１、図２、図４、図５（ａ）、図５（ｂ）、図６（ａ）乃至（ｃ）、図７（ａ）乃至（ｃ）に示すように、各挿入孔１ａ（１ｂ）における上側壁中央には、光コネクタプラグＰ挿入時のガイドおよび安定保持のために、当該光コネクタプラグＰのツマミＱに設けられたキー突起３を嵌合させるよう光軸方向に沿って直線溝条となったキー溝２が形成されている。
【００３１】
そして、このキー溝２には例えばスライドスイッチのツマミ型の押出し具４がスライド自在に挿着され、各挿入孔１ａ（１ｂ）に挿着されている光コネクタプラグＰを押圧してこれを抜脱方向に押し出し可能となるようにしてある。尚、ツマミ型の押出し具４を使用する替わりに、例えば、レバー型による押出し具４を採用しても良い。
【００３２】
すなわち、押出し具４は、図３に示すように、上面全体に滑り止めとして波状溝４ａが形成されて成る操作部４ｂと、該操作部４ｂ下面側でキー溝２に係合される狭窄ネック状となった付け根部４ｃと、該付け根部４ｃを介して下端に設けられ、光コネクタプラグＰのキー突起３を押圧するためのスライダ部４ｄとから構成されている。また、このスライダ部４ｄの先端には、光コネクタプラグＰのキー突起３の円弧突出状の前端部を係合させるための円弧凹条の係合凹部４ｅを備えている。
【００３３】
さらに、図３で示す操作部４ｂの下面後端部には、押出し具４がキー溝２から外れないようにするための左右一対のストッパー突部４ｆが設けられている。すなわち、このストッパー突部４ｆは、キー溝２の後方側に形成された左右一対の溝条のガイドレール１０にスライド自在に係入され、ガイドレール１０の前方端は閉塞されている。そして、操作部４ｂを挿入孔１ａの開口端方向にスライドさせた際に、ストッパー突部４ｆがガイドレール１０前方側の閉塞部分によって係止されることで、押出し具４がキー溝２から逸脱しないようになっている。
【００３４】
一方、光コネクタプラグＰの具体的な構成としては、図６（ａ）乃至（ｃ）、図７（ａ）乃至（ｃ）に示すように、光ファイバ芯線Ｍが挿入固定されると共に、後端にフランジＦＬが圧入保持されるフェルールＦと、フランジＦＬ後端に位置しフェルールＦを前方に付勢するスプリングＳＰの後端を支持するストップリングＳＴと、これら各部材を覆うプラグフレームＰＦと、光ケーブルの抗張力線であるケブラを前記ストップリングＳＴに固定するカシメ座Ｋと、光ケーブルのケブラ外側を覆う合成樹脂外皮であるシースを前記カシメ座に固定するカシメリングＲと、前記ストップリングＳＴに装着されるブーツＢと、プラグフレームＰＦおよびストップリングＳＴの外側に被せられるツマミＱとから概ね構成されている。このプラグフレームＰＦの左右側面には、図２に示すように、前記ロック部材５の係止片を係架させるための係合溝７を形成してある。
【００３５】
そして、光コネクタプラグＰの外殻を構成するツマミＱの例えば上側壁の上面中央には、図２、図６（ａ）乃至（ｃ）、図７（ａ）乃至（ｃ）に示すように、レセプタクルＬの各挿入孔１における接続用両開口端に設けられた前記キー溝２に嵌合させるための平面略長円形状となったキー突起３が突設されている。
【００３６】
光コネクタプラグＰをレセプタクルＬのＳＣコネクタに接続する際には、図６（ａ）および図６（ｂ）に示すように、レセプタクルＬのキー溝２に、ツマミＱのキー突起３を嵌合させて挿入孔１ａにスライド挿入する。このとき、押出し具４は、挿入孔１ａの開口端側にスライド位置している状態から、キー突起３によりスライダ部４ｄが押されて後退する。
【００３７】
さらに、キー突起３によりスライダ部４ｄが押されて後退すると同時に、前記ロック部材５の係止片がツマミＱ先端部により互いに外方に向けて拡圧される。
【００３８】
そして、図６（ｃ）に示すように、光コネクタプラグＰのフェルールがレセプタクルＬの挿入孔１ａ内奥にあるスリーブ内に挿入され、光ファイバ芯線がスプリッタモジュール外の光ファイバ芯線に接続されると同時に、プラグフレームの係合溝にロック部材５が係架して固定される。而して、光コネクタプラグＰ自体はレセプタクルＬに安定に保持される。
【００３９】
一方、レセプタクルＬのＳＣコネクタから光コネクタプラグＰを外す場合には、図７（ａ）に示すように、押出し具４を手指でもって挿入孔１ａ開口端側にスライド移動させる。このとき、押出し具４のスライダ部４ｄ先端の係合凹部４ｅに、光コネクタプラグＰのキー突起３の円弧突出状の先端部が係合して挿入孔１ａ開口端側に押圧される。
【００４０】
そして、図７（ｂ）に示すように、さらに押出し具４を挿入孔１ａ開口端側に押圧すると同時に、ロック部材５の係合がプラグフレームの係合溝によって拡圧解除されてフリーな状態となり、図７（ｃ）に示すように、挿入孔１ａからの光コネクタプラグＰの抜脱が可能となる。
【００４１】
また、他の光コネクタプラグＰがレセプタクルＬの各挿入孔１ａに横配列となって接続されていても、各押出し具４がキー溝２上方に露出していることから、隣接する他の光コネクタプラグＰによってその操作に支障をきたさずに容易に抜脱できるものとなる。しかも、押出し具４上面に設けられた波状溝４ａが滑り止めの役割を果たす。
【００４２】
尚、本発明は、前記実施の形態に限定されるものではなく、本発明の目的を達成できる範囲での改良変形等は本発明に包含されるものである。
【図面の簡単な説明】
【００４３】
【図１】本発明を実施するための最良の形態における光ファイバコネクタのレセプタクルに押出し具を取り付ける状態を示す斜視図である。
【図２】同じく光ファイバコネクタのレセプタクルに光コネクタプラグを挿入する状態を示す斜視図である。
【図３】同じく押出し具の全体斜視図である。
【図４】同じく押出し具を取り付けた状態の光ファイバコネクタのレセプタクルの正断面図である。
【図５】同じく光ファイバコネクタのレセプタクルの構成の一例を示すもので、（ａ）は半断面で示した平面図、（ｂ）は正面図、（ｃ）は背面図である。
【図６】図中（ａ）乃至（ｃ）は光ファイバコネクタのレセプタクルに光コネクタプラグを挿入する状態を順次示した断面図である。
【図７】図中（ａ）乃至（ｃ）は光ファイバコネクタのレセプタクルから光コネクタプラグを抜き出す状態を順次示した断面図である。
【図８】同じく従来例における光ファイバコネクタのレセプタクルに光コネクタプラグを挿入する状態を示す斜視図である。
【符号の説明】
【００４４】
Ｐ          光コネクタプラグ
Ｑ          ツマミ
Ｌ          レセプタクル
Ｍ          光ファイバ芯線
Ｆ          フェルール
ＳＰ        スプリング
ＳＴ        ストップリング
ＰＦ        プラグフレーム
ＦＬ        フランジ
Ｂ          ブーツ
Ｋ          カシメ座
Ｒ          カシメリング
１ａ、１ｂ  挿入孔
２          キー溝
３          キー突起
４          押出し具
４ａ        波状溝
４ｂ        操作部
４ｃ        付け根部
４ｄ        スライダ部
４ｅ        係合凹部
４ｆ        ストッパー突部
５          ロック部材
６          スリーブ
７          係合溝
８          係止片
９          ガイド片
１０        ガイドレール
【図１】
2010152084.tif 000003
【図２】
2010152084.tif 000004
【図３】
2010152084.tif 000005
【図４】
2010152084.tif 000006
【図５】
2010152084.tif 000007
【図６】
2010152084.tif 000008
【図７】
2010152084.tif 000009
【図８】
2010152084.tif 000010